(57)【要約】【課題】光源の交換時や灯具の回転時等に、電源線や電線コネクタや電線を傷つけることのない照明器具を提供する。【解決手段】灯具本体３１内を上下に仕切る隔壁３５を設け、光源３４からの電線３６と商用電源からの電源線１３とを接続する電線コネクタ３７を通過させる筒部３８を隔壁３５に設けた。このため、電線コネクタ３７を筒部３８に挿入しておくことにより、光源３４の交換時や、灯具本体３１の回転時等に、電源線１３や電線コネクタ３７や電線３６を傷つけるのを防止できる。【選択図】図３
2013045712.tif 000002
【特許請求の範囲】
【請求項１】
筒状の灯具本体と、
前記灯具本体に収容される光源と、
前記光源からの電線と商用電源からの電源線とを接続する電線コネクタと、を有し、
前記灯具本体内を上下に仕切る隔壁を設け、
前記隔壁に前記電線コネクタを通過させる筒部を設けた照明器具。
【発明の詳細な説明】
【技術分野】
【０００１】
本発明は、例えば天井等に取り付けて、下方を照明するのに好適な照明器具に関するものである。
【背景技術】
【０００２】
従来より、天井等に取り付けて、下方を照明するのに好適な照明器具が知られている（例えば、特許文献１参照）。
図４（Ａ）、（Ｂ）に示すように、特許文献１に記載の照明器具１００では、天井面１０１などの施工面に固定された引掛シーリング１０２に、接続器１０３を機械的に接続することにより、電気的にも器具本体１０４が接続される。接続器１０３は、器具取付板１０５により、器具本体１０４の取付ベース１０９に取り付けられた円筒状の取付筒１１０に回動自在に保持される。接続器１０３にはランプソケット１０６が取り付けられており、ランプソケット１０６にランプ１０７が取り付けられる。ランプ１０７の前方には、セード１０８が取り付けられている。
【０００３】
これにより、接続器１０３を引掛シーリング１０２に取り付けた状態でも、接続器１０３を回動軸として器具本体１０４を回動させることができる。
なお、図示はされていないが、接続器１０３とランプソケット１０６との間には、電力を供給する電線が配線される。
【先行技術文献】
【特許文献】
【０００４】
【特許文献１】特開２００１−１２６５２７号公報（第１図）
【発明の概要】
【発明が解決しようとする課題】
【０００５】
しかしながら、天井面に埋込形式の照明器具においては、天井裏に配線されている商用電源からの電源線と、光源に接続する電線とを電線コネクタにより接続する場合がある。
この場合において、光源を収容する灯具が、水平回転および上下回動が可能な場合には、特に、光源の交換のために電線コネクタまでの電源線が長く設定されている。このため、光源の交換時や、灯具を回転等させたときに、電源線を傷つける恐れがあるという問題があった。
また、光源を取り外す際に、電線コネクタが灯具に引っ掛かる恐れがあるという問題があった。
【０００６】
本発明は、従来の問題を解決するためになされたもので、光源の交換時や灯具の回転時等に、電源線や電線コネクタや電線を傷つけることのない照明器具を提供することを目的とする。
【課題を解決するための手段】
【０００７】
本発明の照明器具は、筒状の灯具本体と、前記灯具本体に収容される光源と、前記光源からの電線と商用電源からの電源線とを接続する電線コネクタと、を有し、前記灯具本体内を上下に仕切る隔壁を設け、前記隔壁に前記電線コネクタを通過させる筒部を設けたものである。
【発明の効果】
【０００８】
本発明は、灯具本体内を上下に仕切る隔壁を設け、光源からの電線と商用電源からの電源線とを接続する電線コネクタを通過させる筒部を隔壁に設けたので、電線コネクタを筒部に挿入しておくことにより、光源の交換時や、灯具本体の回転時等に、電源線や電線コネクタや電線を傷つけるのを防止できるという効果を有する照明器具を提供できる。
【図面の簡単な説明】
【０００９】
【図１】本発明に係る実施形態の照明器具の一部破断の斜視図
【図２】天井に取り付けられた照明器具の断面図
【図３】電源線および電線が配線された照明器具の断面図
【図４】（Ａ）は従来の照明器具の平面図であり、（Ｂ）は（Ａ）中Ｂ−Ｂ位置の断面図
【発明を実施するための形態】
【００１０】
以下、本発明に係る実施形態の照明器具について、図面を用いて説明する。
図１および図２に示すように、本発明に係る実施形態の照明器具１０は、天井１１に設けられている取付孔１２に取り付けて、下方および斜め下方を照明するのに用いることができる。
【００１１】
照明器具１０は、上面および下面が開口（上開口２１、下開口２２）した略円筒形状の器具本体２０を有する。器具本体２０の上側には、上開口２１を覆うカバー２３が装着される。器具本体２０の下端部外側には鍔部２４が張り出して設けられている。
従って、器具本体２０は、鍔部２４を天井１１の下面に当接させて、器具本体２０の外面に設けられている取付金具（図示省略）で天井１１の上面（裏面）を押圧することにより、天井１１の取付孔１２に取り付けられる。
【００１２】
器具本体２０とカバー２３との間には、リング状の回転板２５が回転可能に挟まれる。回転板２５には、回転板２５の中心に対して対称位置に、一対のアーム部２６が下方へ突出して設けられている。アーム部２６の先端には、灯具３０が取付ねじ２７により回動可能に取り付けられる。
灯具３０は略円筒形状の灯具本体３１を有しており、灯具本体３１の高さ方向中央部には、灯具本体３１内を、上空間３２および下空間３３に仕切る隔壁３５が設けられている。隔壁３５の下面３５１には光源であるＬＥＤユニット３４が取り付けられている。
すなわち、ＬＥＤユニット３４は、灯具３０の下空間３３に収容されている。
【００１３】
従って、灯具３０は、回転板２５を水平回転（図１中矢印Ａ参照）させることにより水平面内で回転し、アーム部２６の取付ねじ２７を中心として上下方向に回動（図２中矢印Ａ参照）させることにより、所望の方向へ向けることができる。
【００１４】
図３に示すように、カバー２３の中央部には、商用電源に接続される電源線１３を照明器具１０の内部に導くための貫通孔２３２が設けられており、ゴムや樹脂で形成されている保持部材２８により、電源線１３はカバー２３に保持される。
電源線１３は、カバー２３の内部空間２３１および灯具本体３１の上空間３２内部に配線されており、屈曲して十分な長さが収容されている。
【００１５】
ＬＥＤユニット３４には、点灯電力供給用の電線３６が接続されており、電線３６は、電線コネクタ３７を介して電源線１３に接続される。
灯具本体３１の隔壁３５には、隔壁３５を貫通する筒部３８が上下方向に設けられており、筒部には、電線コネクタ３７が収容される。
これにより、灯具３０を水平回転および上下回動させた際に、電線コネクタ３７が移動したり、電源線１３が引っ掛かったりするのを防止できる。
【００１６】
また、隔壁３５の下面３５１にはＬＥＤユニット３４が取り付けられており、筒部３８は、隔壁３５の上側に設けられている。
なお、筒部３８は円筒形状であっても良いが、矩形等の多角形であっても良い。また、ここでは、筒部３８の下部が拡径されて拡がっており、下方から電線コネクタ３７を挿入しやすくなっている。
【００１７】
以上、説明した本発明に係る実施形態の照明器具１０によれば、灯具本体３１内を上下に仕切る隔壁３５を設け、ＬＥＤユニット３４からの電線３６と商用電源からの電源線１３とを接続する電線コネクタ３７を通過させる筒部３８を隔壁３５に設けた。
このため、電線コネクタ３７を筒部３８に挿入しておくことにより、ＬＥＤユニット３４の交換時や、灯具本体３１の回転時等に、電源線１３や電線コネクタ３７や電線３６を傷つけるのを防止できる。
また、電線コネクタ３７が筒部３８に収容されているので、ＬＥＤユニット３４の交換時に、容易に電線コネクタ３７を取り出すことができる。
【００１８】
なお、本発明の照明器具は、前述した実施形態に限定されるものでなく、適宜な変形，改良等が可能である。
【符号の説明】
【００１９】
１０  照明器具
１３  電源線
３１  灯具本体
３４  ＬＥＤユニット（光源）
３５  隔壁
３６  電線
３７  電線コネクタ
３８  筒部
【図１】
2013045712.tif 000003
【図２】
2013045712.tif 000004
【図３】
2013045712.tif 000005
【図４】
2013045712.tif 000006